(57)【要約】【課題】  画像形成装置の後処理機部分での用紙ジャムの発生を防止する。【解決手段】  印刷用紙（後行紙）はレジストポイントまで搬送され一時停止し、先行紙との紙間が調整されると停止が解除され、画像形成後、ストレート排紙又は反転排紙される。後行紙が書込み要求ポイントに到達したとき、先行紙のレジストポイント通過後の経過時間Ａ、後処理機の処理待ち時間Ｄ、搬送パス切換え時間Ｅ、折り待ち時間Ｆを取得する。後行紙、先行紙共に反転排紙のとき、サイズ長の差分の反転時間Ｂを算出し、（Ｓ４５）、後行紙が反転排紙、先行紙がストレート排紙のとき、反転ルート経由分の反転時間Ｂを算出し（Ｓ６０）、経過時間Ａとの差分だけ、更には時間Ｄ，Ｅ，Ｆとの差分だけ後行紙の搬送をレジストポイントで調整する（Ｓ６３乃至７２）。先行紙がストレート排紙、後行紙が反転排紙のとき、待ち過ぎ時間Ｃと前記時間Ｄ、Ｆだけ同様に調整する（Ｓ４７乃至７２）。【選択図】      図７
2006047512.tif 000002
【特許請求の範囲】
【請求項１】
長さの異なる複数の搬送経路を備えた画像形成装置において、
前記搬送経路のいずれかにおいて、転写紙の給紙位置から排紙位置までの搬送時間、及び後処理機による要処理時間を記憶する手段と、
先行転写紙の搬送経路における搬送時間に後処理機における要処理時間を加えた合計時間と後行転写紙の搬送時間とを比較する手段と、
前記合計時間が後行転写紙の搬送時間より大きいとき、後行転写紙の搬送を遅延させる手段と、
を備えたことを特徴とする画像形成装置。
【請求項２】
請求項１記載の画像形成装置において、
前記後行転写紙の搬送を遅延させる手段は、搬送経路上で後行転写紙の搬送を一時停止する手段であることを特徴とする画像形成装置。
【請求項３】
請求項１又は２記載の画像形成装置において、前記長さの異なる複数の搬送系路は、ストレート排紙経路及び反転排紙経路であることを特徴とする画像形成装置。
【請求項４】
長さの異なる複数の搬送経路を備えた画像形成装置のコンピュータを、
前記搬送経路のいずれかにおいて、転写紙の給紙位置から排紙位置までの搬送時間、及び後処理機による要処理時間を記憶させる手段、
先行転写紙の搬送経路における搬送時間に後処理機における要処理時間を加えた合計時間と後行転写紙の搬送時間とを比較する手段、
前記合計時間が後行転写紙の搬送時間より大きいとき、後行転写紙の搬送を遅延させる手段、
として機能させるためのプログラム。
【発明の詳細な説明】
【技術分野】
【０００１】
本発明は、画像形成された転写紙をストレート排紙経路及び、反転排紙経路を経て排紙可能であり後処理機を備える画像形成装置及びこの画像形成装置で転写紙の搬送制御に使用されるプログラムに関する。
【背景技術】
【０００２】
従来、両面印刷機能を有するデジタル複写機のような画像形成装置において、両面印刷時に、トータル印刷速度を落さないように、一方の面に画像が形成された用紙を両面印刷に使用する用紙の搬送路上（両面機内）に点在させ、１枚ごとに反転及び再給紙を行って他方の面にも画像を形成する両面インタリーブ機能を実現したものがある。このような画像形成装置においては先行して搬送される用紙（以下、先行紙）に後行して搬送される用紙（以下、後行紙）が追いついてしまい用紙ジャムを引起すことがある。
【０００３】
この種ジャムを防止するために、両面印刷実行中は、後行紙をレジストローラに先端を突き当てた状態で一時停止させた後、この後行紙が両面機への搬送用紙であり且つ先行紙も両面機への搬送用紙であることを確認し、且つ、後行紙の一時停止を解除してレジストスタートさせてしまった場合にジャムになるか否かを所定の条件式に徴して判断する。ジャムになると判断される場合には、所定時間経過するのを待って、つまり先行紙の後端が両面機の反転部分に位置する間は後行紙をその反転部分に送り込まないよう用紙間隔を調整した後で後行紙をレジストスタートさせる発明が公知である（特許文献１参照）。
【特許文献１】特開２０００−８０６４２号公報
【発明の開示】
【発明が解決しようとする課題】
【０００４】
しかしながら、前記従来の発明は、両面インタリーブ機能を用いた両面印刷実行時に両面機内での用紙ジャムの発生を防止するようにしているが、両面印刷以外の印刷用紙のストレート排紙（フェースアップ排紙）や反転排紙（フェースダウン排紙）が行われる際の用紙衝突によるジャム発生については考慮していなかった。近年、Ｚ折り機のような中間処理機が画像形成装置と後処理機との間に接続される画像形成装置が多用されているが、先行紙が折り動作あり、後行紙が折り動作なしといった場合に、折り機動作の処理時間を考慮しておらず、例え先行紙がストレート排紙、後行紙が反転排紙の場合であっても後処理機での用紙衝突によるジャムが発生し得るという問題がある。
【０００５】
そこで本発明は、後処理機を有する画像形成装置において、画像形成装置と後処理機に折り機等の中間処理機が備えられる場合に後処理機部分で印刷用紙のジャムの発生を防止することを目的とする。
【課題を解決するための手段】
【０００６】
請求項１の発明は、長さの異なる複数の搬送経路を備えた画像形成装置において、前記搬送経路のいずれかにおいて、転写紙の給紙位置から排紙位置までの搬送時間、及び後処理機による要処理時間を記憶する手段と、先行転写紙の搬送経路における搬送時間に後処理機における要処理時間を加えた合計時間と後行転写紙の搬送時間とを比較する手段と、前記合計時間が後行転写紙の搬送時間より大きいとき、後行転写紙の搬送を遅延させる手段と、を備えたことを特徴とする画像形成装置である。
請求項２の発明は、請求項１記載の画像形成装置において、前記後行転写紙の搬送を遅延させる手段は、搬送経路上で後行転写紙の搬送を一時停止する手段であることを特徴とする画像形成装置である。
請求項３の発明は、請求項１又は２記載の画像形成装置において、前記長さの異なる複数の搬送系路は、ストレート排紙経路及び反転排紙経路であることを特徴とする画像形成装置である。
請求項４の発明は、長さの異なる複数の搬送経路を備えた画像形成装置のコンピュータを、前記搬送経路のいずれかにおいて、転写紙の給紙位置から排紙位置までの搬送時間、及び後処理機による要処理時間を記憶させる手段、先行転写紙の搬送経路における搬送時間に後処理機における要処理時間を加えた合計時間と後行転写紙の搬送時間とを比較する手段、前記合計時間が後行転写紙の搬送時間より大きいとき、後行転写紙の搬送を遅延させる手段、として機能させるためのプログラムである。
【発明の効果】
【０００７】
本発明によれば、画像形成装置と後処理機に折り機等の中間処理機が備えられる場合に後処理機部分で印刷用紙ジャムが発生するのを防止することができる。特に先行紙がストレート排紙で後行紙が反転排紙の場合に後処理機部分での印刷用紙ジャムの発生を防止することができる。
【発明を実施するための最良の形態】
【０００８】
はじめに、本発明が適用される画像形成装置について説明する。
図１は、本発明が適用される後処理機を備えた画像形成装置の要部概略断面図である。図１において、第１乃至第４の給紙トレイ１０１乃至１０４及び手差し給紙トレイ１０５及びＬＣＴ１０６から給紙される印刷用紙は、一点鎖線で示す搬送系路に沿って書込み要求ポイント１１に搬送される。書込み要求ポイント１１に到達すると書込み要求が発送される。その後レジストスタートポイント１２に搬送されると、感光体ドラム１０７上にＬＤ１０８より潜像が書込まれるＬＤ照射ポイント１３と転写位置１４への到達のタイミングが調整される。このとき先行紙との紙間を調整するため一時停止させられることがある。一時停止が解除されると、再び搬送が開始され、転写位置１４、定着位置１５で画像形成され、排紙口１６、そしてフィニシャ等の後処理機１０９へと向かう。本画像形成装置は、図中の定着位置１５下流の反転入口１８、反転出口１９を経由するストレート排紙経路と、反転入口１８、切換えポイント１７、反転出口１９を経由する反転排紙経路の２つの搬送系路を備えており、これらの経路によりユーザーはフェースアップ排紙とフェースダウン排紙を選択することができる。また両面印刷時には、反転排紙経路によって構成される両面機により、所定のタイミングで再給紙ローラにより画像形成部へ向けて再給紙し、他方の面にも画像を形成した後、ストレート排紙することができる。更に図１には記載されていないが、排紙口１６と後処理機１０９の間にはＺ折り機のような中間処理機が備えられユーザーの要望に従って折り動作を行うことができるようになっている。
【０００９】
なお、この後の説明を簡単にするため反転入口１８と反転出口１９の間の距離は０、書込み要求ポイント１１とレジストスタートポイント１２との間の距離は０、転写位置１４からレジストスタートポイント１２及びＬＤ照射ポイント１３までの距離は同じ、最低限必要な紙間は０、また書込み要求の発送によりＬＤの書込みは即時に開始されるものとする。
【００１０】
図２は、図１の画像形成装置の電装構成を示すブロック図であり、図中、コントローラ１はＣＰＵからなり画像形成装置全体を制御し、後述する作像部において感光体ドラムに形成された原稿画像の転写紙への転写と該転写紙の搬送のタイミングを制御する。ＲＯＭ２はコントローラ１を起動するためのプログラムを蓄積する記憶装置、ＲＡＭ３は画像形成のために画像データを展開するための一時記憶装置、ＨＤＤ４は不図示のスキャナにより読取られた画像データを蓄積する記憶装置、作像部６は図１の感光体ドラム１０７、ＬＤ１０８のほか転写装置、定着装置等からなり電子写真方式により画像形成を行う。ＣＤドライブ７はＣＤ−ＲＯＭに蓄積された制御プログラム等のプログラムを読取りＨＨＤ４に記憶させる駆動装置、通信Ｉ／Ｆ８はＬＡＮ、インターネット等の電気通信回線を介して他の画像形成装置等と接続するインターフェースである。コントローラ１と各装置とはバス９により接続され制御信号のやり取りが行われる。
【００１１】
次に、図１及び図２に示す画像形成装置における印刷用紙の搬送制御について説明する。
まず、本発明の実施形態に係る先行紙の搬送制御について説明する。
図３は、先行紙の搬送制御の処理手順を示すフロー図である。図３において、この処理手順がスタートし、給紙トレイ１０１乃至１０６のいずれかのトレイから給紙された印刷用紙がレジストスタートポイント１２に達すると（Ｓ１）、両面印刷か否かを判断する（Ｓ２）。両面印刷の場合においては（Ｓ２，ＹＥＳ）、レジストスタートする（Ｓ５）。このスタートによりこの処理を終了する。
両面印刷でない場合（Ｓ２，ＮＯ）、コントローラ１のＣＰＵは、紙サイズ、搬送方向長さ、反転排紙又はストレート排紙の別、上排紙又は下排紙の別等の情報を取得する（Ｓ３）。そして、レジスト通過時間タイマをリセットし（Ｓ４）、レジストスタートする（Ｓ５）。このスタートにより処理は終了する。
【００１２】
続いて、本発明の一実施形態に係る後行紙の搬送制御について説明する。
図４は、後行紙の搬送制御のフローを示す図である。図４において、この制御がスタートし、後行紙が書込み要求ポイント１１に到達すると、コントローラ１のＣＰＵは、先行紙のレジスト通過後の経過時間Ａ、後処理機による後処理待ち時間Ｄ、排紙先が変更された場合の搬送パス切換え時間Ｅを取得する（Ｓ１１）。そして両面印刷か否かを判断する（Ｓ１２）。両面印刷の場合は（Ｓ１２，ＹＥＳ）、直ちに書込み要求が送出され（Ｓ３３）、この処理を終了する。
両面印刷でない場合においては（Ｓ１２，ＮＯ）、反転排紙か否かを判断し（Ｓ１３）。反転排紙である場合（Ｓ１３，ＹＥＳ）、先行紙は反転排紙か否かを判断し（Ｓ１４）、先行紙が反転排紙の場合、つまり後行紙及び先行紙が共に反転排紙の場合（Ｓ１４，ＹＥＳ）、（先行紙の搬送方向長さ）−（後行紙の搬送方向長さ）分の反転時間Ｂをタイマにセットする（Ｓ１９）。
【００１３】
ステップ１３の判断で、反転排紙でない場合（Ｓ１３，ＮＯ）、先行紙が反転排紙か否かを判断し（Ｓ２０）、先行紙が反転排紙の場合、つまり後行紙がストレート排紙で先行紙が反転排紙の場合（Ｓ２０，ＹＥＳ）、反転入り口１８→切換えポイント１７→反転出口１９を経過するのに要する反転時間Ｂをタイマにセットする（Ｓ２１）。
【００１４】
続いて、これら反転時間Ｂと先行紙のレジスト通過後の経過時間Ａとを比較し、Ａ<Ｂか否かを判断する（Ｓ２２）。反転時間Ｂが経過時間Ａより長い場合（Ｓ２２，ＹＥＳ）、（反転時間Ｂ−経過時間Ａ）時間を周期タイマにセットし待ちフラグをセットする（Ｓ２３）。そして待ちフラグの解除を待つ（Ｓ２４）。解除されたとき、後処理待ち時間Ｄと待ちフラグをセットし（Ｓ２５５）、更にその解除を待つ（Ｓ２６）。
【００１５】
一方、先行紙が反転排紙でない場合（Ｓ１４，ＮＯ）、つまり先行紙がストレート排紙で後行紙が反転排紙の場合、排紙口１６又は切換えポイント１８で衝突することはないが、ステップ２１でセットした反転時間Ｂだけ余裕がある、つまり待ち過ぎ時間Ｃが存在することになる（Ｓ１５）。そこで先行紙のレジスト通過後の経過時間Ａと待ち過ぎ時間Ｃの合計時間が、後続の特にＺ折り機のような中間処理機での処理時間を含む後処理待ち時間Ｄよりも大きいか否か（（Ａ＋Ｃ）>Ｄ）を判断する（Ｓ１６）。大きくない場合（Ｓ１６，ＮＯ）、その差分Ｄ−（Ａ＋Ｃ）を周期タイマに、待ちフラグをセットする（Ｓ１７）。そしてその待ちフラグの解除を待つ（Ｓ２６）。
【００１６】
ステップ１６において先行紙のレジスト通過後の経過時間Ａと待ち過ぎ時間Ｃの合計が次に続く後処理機で必要な待ち時間Ｄよりも長い場合（Ｓ１６，ＹＥＳ）及びステップ２６において待ちフラグが解除された場合は、更に排紙先に変更があるか否かを判断する（Ｓ２７）。排紙先に変更がない場合においては（Ｓ２７，ＮＯ）、書込み要求を発送して（Ｓ３３）、この処理を終了する。
【００１７】
ステップ２７の判断において排紙先に変更がある場合においては（Ｓ２７，ＹＥＳ）、この処理がステップ１６から分岐した処理か否かを判断し（Ｓ２８）、分岐した処理である場合は（Ｓ２８，ＹＥＳ）、先行紙のレジスト通過後の経過時間Ａと待ち過ぎ時間Ｃの合計時間が、後処理機で必要な待ち時間Ｄと排紙先変更に伴う搬送路切換え時間Ｅとの合計時間より長いか否か、つまり（Ａ＋Ｃ）>（Ｄ＋Ｅ）を判断する（Ｓ２９）。前記時間が長い場合（Ｓ２９，ＹＥＳ）、書込み要求を発送して（Ｓ３３）、この処理を終了する。
【００１８】
前記時間が長くない場合（Ｓ２９，ＮＯ）、（（Ｄ＋Ｅ）−（Ａ＋Ｃ））時間を周期タイマにセットし、待ちフラグをセットし（Ｓ３０）、待ちフラグの解除を待つ（Ｓ３２）。待ちフラグが解除されたとき、書込み要求を発送して（Ｓ３３）、この処理を終了する。
【００１９】
ここで、前記周期タイマについて説明する。
図５は、先行紙のレジスト通過後の経過時間を計時する周期タイマの動作フロー図であり、図中、計時が開始すると、レジスト通過時間の最大値に達しているか否かを判断し（Ｓ８１）、最大値に到達する範囲でレジスト通過時間タイマがインクレメントされる（Ｓ８２）。
【００２０】
図６は、後行紙のレジスト待ち時間の経過時間を計時する周期タイマの動作フロー図である。図中、タイマにレジスト待ち時間がセットされて計時が開始すると、タイマはデクレメントをスタートし（Ｓ９１）、これをタイムアップするまで行う（Ｓ９２）。タイムアップすると待ちフラグがセットされているか否かを判断し（Ｓ９３）、セットされている場合は待ちフラグを解除して（Ｓ９４）この動作を終了し、セットされていない場合はそのままこの動作を終了する。
【００２１】
更に、本発明の他の実施形態に係る後行紙の搬送制御について説明する。
図７は、後行紙の搬送制御の処理手順を示すフロー図である。図７において、この制御がスタートし、書込み要求発送ポイント１１に到達すると、コントローラ１のＣＰＵは、先行紙のレジスト経過時間Ａ、後処理待ち時間Ｄ、搬送パス切換え時間Ｅ、折り動作待ち時間Ｆを取得し（Ｓ４１）、両面印刷か否かを判断する（Ｓ４２）。両面印刷の場合は（Ｓ４２，ＹＥＳ）、直ちに書込み要求が送出され（Ｓ７２）、この処理を終了する。
両面印刷でない場合においては（Ｓ１２，ＮＯ）、反転排紙か否かを判断し（Ｓ４３）、反転排紙である場合（Ｓ４３，ＹＥＳ）、先行紙が反転排紙か否かを判断する（Ｓ４４）。先行紙が反転排紙の場合（Ｓ４４，ＹＥＳ）、（先行紙の搬送方向長さ）−（後行紙の搬送方向長さ）分の反転時間Ｂをタイマにセットする（Ｓ４５）。
【００２２】
ステップ４３において、反転排紙でない場合（Ｓ４３，ＮＯ）、先行紙が反転排紙か否かを判断し（Ｓ４９）、先行紙が反転排紙の場合（Ｓ４９，ＹＥＳ）、反転入り口１８→切換えポイント１７→反転出口１９を経過するのに要する反転時間Ｂをタイマにセットする（Ｓ６０）。
【００２３】
続いて、これら反転時間Ｂと先行紙のレジスト通過後の経過時間Ａとを比較し、Ａ<Ｂか否かを判断する（Ｓ６１）。反転時間Ｂが経過時間Ａより長い場合（Ｓ６１，ＹＥＳ）、（反転時間Ｂ−経過時間Ａ）時間を周期タイマにセットする（Ｓ６２）。
【００２４】
続いて先行紙が折り処理あり、後行紙が折り処理なしかを判断し（Ｓ６３）、先行紙が折り処理で且つ後行紙が折り処理でない場合においては（Ｓ６３，ＹＥＳ）、先行紙のレジスト通過後の経過時間Ａが反転時間Ｂと折り動作待ち時間Ｆの合計時間より少ないか否かを判断する（Ｓ６４）。少ない場合は（Ｓ６４，ＹＥＳ）、周期タイマに（Ｂ＋Ｆ−Ａ）時間をセットする（Ｓ６５）。
【００２５】
そして更に排紙先に変更があるか否かを判断し（Ｓ６６）、変更がある場合においては（Ｓ６６，ＹＥＳ）、先行紙のレジスト経過時間Ａが反転時間Ｂと搬送パス切換え時間Ｅと折り動作待ち時間Ｆの合計時間より少ないか否かを判断する（Ｓ６７）。少ない場合は（Ｓ６７，ＹＥＳ）、周期タイマに（Ｄ＋Ｅ＋Ｆ−Ａ）時間をセットする（Ｓ６８）。
【００２６】
更に続いて、確認のためタイマセットが不要だったか否かを判断し（Ｓ６９）、不要の場合は書込み要求を送出し（Ｓ７２）、この処理を終了する。不要でなかったことが確認されたとき（Ｓ６９，ＮＯ）、待ちフラグをセットし（Ｓ７０）、待ちフラグが解除されたとき（Ｓ７１）、書込み要求を送出し（Ｓ７２）、この処理を終了する。
【００２７】
なお、ステップ４９において否定判断された場合、先行紙が折り処理あり、後行紙が折り処理なしかを判断し（Ｓ６３）、ステップ６３，６４において否定判断された場合、排紙先に変更があるか否かを判断し（Ｓ６６）、更にステップ６６，６７において否定判断された場合においては、タイマセットの要否確認判断をする（Ｓ６９）。
【００２８】
ステップ４４に戻り、先行紙が反転排紙でない場合（Ｓ４４，ＮＯ）、つまり先行紙がストレート排紙で後行紙が反転排紙の場合は、排紙口１６又は切換えポイント１８で衝突することはないが、ステップ６０でセットした反転時間Ｂの余裕時間、つまり待ち過ぎ時間Ｃが存在することになる（Ｓ４６）。そこで先行紙のレジスト通過後の経過時間Ａと待ち過ぎ時間Ｃの合計時間が、次に続く後処理機で必要な待ち時間Ｄよりも大きいか否か（（Ａ＋Ｃ）>Ｄ）を判断する（Ｓ４７）。大きくない場合（Ｓ４７，ＮＯ）、その差分時間Ｄ−（Ａ＋Ｃ）を周期タイマにセットし（Ｓ４８）、更に先行紙が折り処理あり且つ後行紙が折り処理なしかを判断する（Ｓ５０）。
【００２９】
ステップ４７において先行紙のレジスト通過後の経過時間Ａと待ち過ぎ時間Ｃの合計時間が後処理機で必要な待ち時間Ｄよりも大きい場合（Ｓ４７，ＹＥＳ）も先行紙が折り処理あり且つ後行紙が折り処理なしかを判断する（Ｓ５０）。
【００３０】
先行紙が折り処理あり且つ後行紙が折り処理なしと判断した場合（Ｓ５０，ＹＥＳ）、先行紙のレジスト通過後の経過時間Ａと待ち過ぎ時間Ｃの合計時間が後処理待ち時間Ｄと折り動作待ち時間Ｆの合計時間より少ないか否かを判断する（Ｓ５１）。少ない場合（Ｓ５１，ＹＥＳ）、先行紙のレジスト通過後の経過時間Ａと待ち過ぎ時間Ｃの合計時間と後処理待ち時間Ｄと折り動作待ち時間Ｆの合計時間の差分時間（（Ｄ＋Ｆ）−（Ａ＋Ｃ））を周期タイマにセットし（Ｓ５２）、排紙先に変更あるか否かの判断（Ｓ５３）に移行する。また、先行紙が折り処理あり且つ後行紙が折り処理なしでない場合も（Ｓ５０，ＮＯ）、排紙先に変更あるか否かの判断（Ｓ５３）に移行する。
【００３１】
排紙先に変更がある場合（Ｓ５３，ＹＥＳ）、先行紙のレジスト通過後の経過時間Ａと待ち過ぎ時間Ｃの合計時間が後処理待ち時間Ｄと折り動作待ち時間Ｆと搬送パス切換え時間Ｅの合計時間より少ないか否かを判断する（Ｓ５４）。少ない場合（Ｓ５４，ＹＥＳ）、先行紙のレジスト通過後の経過時間Ａと待ち過ぎ時間Ｃの合計時間と後処理待ち時間Ｄと搬送パス切換え時間Ｅ折り動作待ち時間Ｆの合計時間の差分時間（（Ｄ＋Ｅ＋Ｆ）−（Ａ＋Ｃ））を周期タイマにセットし（Ｓ５５）、タイマセットの要否確認判断をする（Ｓ６９）。
【００３２】
そして不要の場合は書込み要求を送出し（Ｓ７２）、この処理を終了する。不要でなかったことが確認されたとき（Ｓ６９，ＮＯ）、待ちフラグをセットし（Ｓ７０）、待ちフラグが解除されたとき（Ｓ７１）、書込み要求を送出し（Ｓ７２）、この処理を終了する。
【００３３】
以上述べた印刷用紙の搬送制御を実行させるために、前記処理手順を汎用のプログラム言語によりコンピュータプログラムとして記述し、かつ、このプログラムをフレキシブルディスク、ＣＤ−ＲＯＭ、ＤＶＤ−ＲＯＭ、ＭＯ等の任意の記録媒体に記録し、これを画像形成装置のコンピュータに読取らせることで前記搬送制御を容易に実施することができる。本プログラムは、記録媒体に記録する以外に、インターネット、イントラネット等の任意のネットワーク８を介して、文書処理装置等のコンピュータに直接読取らせることも可能である。
【産業上の利用可能性】
【００３４】
以上のように本発明に係る印刷用紙の搬送制御手段を有する画像形成装置は、画像形成装置と後処理機との間に折り機等の中間処理機を備える画像形成装置のように多様な後処理を行う画像形成装置において有用であり、特に大量部数の複写処理を可能にした画像形成装置に用いるのに適している。
【図面の簡単な説明】
【００３５】
【図１】本発明が適用される後処理機を備えた画像形成装置の要部構成断面図である。
【図２】図１の画像形成装置の電装構成を示すブロック図である。
【図３】本発明の実施形態に係る先行紙の搬送制御のフローを示す図である。
【図４】本発明の一実施形態に係る後行紙の搬送制御のフローを示す図である。
【図５】先行紙のレジスト通過後の経過時間を計時する周期タイマの動作フロー図である。
【図６】後行紙のレジスト待ち時間の経過時間を計時する周期タイマの動作フロー図である。
【図７】本発明の他の実施形態に係る後行紙の搬送制御のフローを示す図である。
【符号の説明】
【００３６】
１１・・書込み要求ポイント、１２・・レジストスタートポイント、１３・・ＬＤ照射ポイント、１４・・転写位置、１５・・定着位置、１６・・排紙口、１７・・切換えポイント、１８・・反転入口、１９・・反転出口
【図１】
2006047512.tif 000003
【図２】
2006047512.tif 000004
【図３】
2006047512.tif 000005
【図４】
2006047512.tif 000006
【図５】
2006047512.tif 000007
【図６】
2006047512.tif 000008
【図７】
2006047512.tif 000009